(57)【要約】【課題】ユーザの使用状況に応じてＬＥＤの低消費電力化を実施する。【解決手段】局側装置２との論理リンク状態を検出するＰＯＮ制御部１０と、下位ネットワーク側装置７との接続状態を検出する接続状態検出部１２と、ＰＯＮ制御部により検出された局側装置との論理リンク状態及び接続状態検出部により検出された下位ネットワーク側装置との接続状態に基づいて、ＬＥＤを発光させるＬＥＤ部１５と、局側装置または下位ネットワーク側装置との間で送受信されるユーザデータの有無を検出するトラフィック監視部１０ａと、トラフィック監視部により検出されたユーザデータの送受信の有無及び接続状態検出部により検出された下位ネットワーク側装置との接続状態に基づいて、ＬＥＤ部により発光されるＬＥＤの輝度を制御する電流制御部１４とを備えた。【選択図】図１
2011066784.tif 000002
【特許請求の範囲】
【請求項１】
局側装置及び下位ネットワーク側装置と接続して通信を行う加入者側装置において、
前記局側装置との論理リンク状態を検出するＰＯＮ制御部と、
前記下位ネットワーク側装置との接続状態を検出する接続状態検出部と、
前記ＰＯＮ制御部により検出された局側装置との論理リンク状態及び前記接続状態検出部により検出された下位ネットワーク側装置との接続状態に基づいて、ＬＥＤを発光させるＬＥＤ部と、
前記局側装置または前記下位ネットワーク側装置との間で送受信されるユーザデータの有無を検出するトラフィック監視部と、
前記トラフィック監視部により検出されたユーザデータの送受信の有無及び前記接続状態検出部により検出された下位ネットワーク側装置との接続状態に基づいて、前記ＬＥＤ部により発光されるＬＥＤの輝度を制御する電流制御部と
を備えたことを特徴とする加入者側装置。
【請求項２】
局側装置及び下位ネットワーク側装置と接続して通信を行う加入者側装置において、
前記局側装置との論理リンク状態を検出するＰＯＮ制御部と、
前記下位ネットワーク側装置との接続状態を検出する接続状態検出部と、
前記ＰＯＮ制御部により検出された局側装置との論理リンク状態及び前記接続状態検出部により検出された下位ネットワーク側装置との接続状態に基づいて、ＬＥＤを発光させるＬＥＤ部と、
前記局側装置または前記下位ネットワーク側装置との間で送受信されるユーザデータの有無を検出するトラフィック監視部と、
前記トラフィック監視部により検出されたユーザデータの送受信の有無に基づいて、前記ＬＥＤ部により発光されるＬＥＤの輝度を制御する電流制御部と
を備えたことを特徴とする加入者側装置。
【請求項３】
局側装置及び下位ネットワーク側装置と接続して通信を行う加入者側装置において、
前記局側装置との論理リンク状態を検出するＰＯＮ制御部と、
前記下位ネットワーク側装置との接続状態を検出する接続状態検出部と、
前記ＰＯＮ制御部により検出された局側装置との論理リンク状態及び前記接続状態検出部により検出された下位ネットワーク側装置との接続状態に基づいて、ＬＥＤを発光させるＬＥＤ部と、
前記接続状態検出部により検出された下位ネットワーク側装置との接続状態に基づいて、前記ＬＥＤ部により発光されるＬＥＤの輝度を制御する電流制御部と
を備えたことを特徴とする加入者側装置。
【請求項４】
外部からの操作に従い、自機の動作状態を変更する外部インタフェース部を備え、
前記電流制御部は、前記外部インタフェース部によって変更された動作状態に基づいて、前記ＬＥＤ部により発光されるＬＥＤの輝度を制御する
ことを特徴とする請求項１から請求項３のうちいずれか１項記載の加入者側装置。
【発明の詳細な説明】
【技術分野】
【０００１】
この発明は、局側装置及び下位ネットワークと接続して通信を行う加入者側装置において、局側装置との論理リンク状態または下位ネットワークとの接続状態等をＬＥＤ（Ｌｉｇｈｔ  Ｅｍｉｔｔｉｎｇ  Ｄｉｏｄｅ）により報知する加入者側装置に関するものである。
【背景技術】
【０００２】
ＦＴＴＨ（Ｆｉｂｅｒ  Ｔｏ  Ｔｈｅ  Ｈｏｍｅ）等の光アクセスサービスをユーザに提供する手法の一つとして、パッシブ光ネットワーク（ＰＯＮ：Ｐａｓｓｉｖｅ  Ｏｐｔｉｃａｌ  Ｎｅｔｗｏｒｋ）システムがある。このＰＯＮシステムでは、複数の加入者側装置（ＯＮＵ：Ｏｐｔｉｃａｌ  Ｎｅｔｗｏｒｋ  Ｕｎｉｔ）が局側装置（ＯＬＴ：Ｏｐｔｉｃａｌ  Ｌｉｎｅ  Ｔｅｒｍｉｎａｌ）及び伝送路(光ファイバ)を共有する形態をとることで、光ファイバを用いた高速アクセスサービスを安価で提供することが可能であり、現在では、各家庭にこのＯＮＵが普及している。
【０００３】
近年、各家庭の光熱費低減や環境についての関心が高まっており、家電製品に対する低消費電力化のニーズが高まってきており、各ユーザ宅に設置されるＯＮＵに対しても低消費電力化が求められている。
【０００４】
そこで、ＯＮＵに対する低消費電力化の施策として、ＯＮＵに接続されているＯＬＴとの論理リンク状態または下位ネットワーク側装置（ＴＥ：Ｔｅｒｍｉｎａｌ  Ｅｑｕｉｐｍｅｎｔ）との接続状態を検出して、低消費電力化を実施するように構成したＯＮＵがある（例えば、特許文献１参照）。
【０００５】
この特許文献１に開示されるＯＮＵは、ＯＬＴとの間で光信号を送受信する光送受信部と、ＯＬＴとの間の論理リンクの確立を制御する論理リンク確立制御部、物理層として機能する物理層機能部（ＰＨＹ：ＰＨＹｓｉｃａｌ  ｌａｙｅｒ）とを備えたＯＮＵにおいて、光送受信部への光信号の入力有無、論理リンク確立制御部により論理リンクが確立されているか否か及びＰＨＹとＴＥとの接続有無のうちの少なくとも１つを判定する判定処理部と、判定処理部による判定結果に基づいて論理リンク確立制御部の消費電力を制御する第１の制御部と、判定処理部による判定結果に基づいてＰＨＹの消費電力を制御する第２の制御部とを備えており、ＯＮＵとＯＬＴまたはＴＥとの接続状態を監視して、低消費電力化モードに設定することにより、効率よく消費電力を抑制するものである。
【０００６】
また、ＯＮＵから送信すべき情報の有無を判別して送信情報が有る場合には電源からＯＮＵへ電力を供給し、送信情報が無くなった場合には電源から光通信装置への電力供給を停止するように構成したＯＮＵもある（例えば、特許文献２参照）。
【先行技術文献】
【特許文献】
【０００７】
【特許文献１】特開２００８−１１３１９３号公報
【特許文献２】特開平０８−２５６１０５号公報
【発明の概要】
【発明が解決しようとする課題】
【０００８】
一方、ＯＮＵでは、ＯＬＴ及びＴＥとの接続が確立されＥｔｈｅｒｎｅｔ（登録商標。以下省略する。）通信が開始された後、このＯＬＴとの論理リンク状態またはＴＥとの接続状態等をユーザが視認できるようにするために、ＬＥＤを用いて外部に報知するように構成されている。
しかしながら、特許文献１，２に開示されたＯＮＵでは、このＬＥＤの輝度に対する制御は行われておらず、ユーザがＯＮＵを使用していない間に、ＬＥＤが無駄な電力を消費している状態で放置される場合があるという課題がある。
【０００９】
この発明は、上記のような課題を解決するためになされたもので、ユーザのＯＮＵの使用状況に応じて、ＯＬＴとの論理リンク状態またはＴＥとの接続状態等を報知するＬＥＤの低消費電力化を実施することができる加入者側装置を得ることを目的としている。
【課題を解決するための手段】
【００１０】
この発明に係る加入者側端末は、局側装置及び下位ネットワーク側装置と接続して通信を行う加入者側装置において、局側装置との論理リンク状態を検出するＰＯＮ制御部と、下位ネットワーク側装置との接続状態を検出する接続状態検出部と、ＰＯＮ制御部により検出された局側装置との論理リンク状態及び接続状態検出部により検出された下位ネットワーク側装置との接続状態に基づいて、ＬＥＤを発光させるＬＥＤ部と、局側装置または下位ネットワーク側装置との間で送受信されるユーザデータの有無を検出するトラフィック監視部と、トラフィック監視部により検出されたユーザデータの送受信の有無及び接続状態検出部により検出された下位ネットワーク側装置との接続状態に基づいて、ＬＥＤ部により発光されるＬＥＤの輝度を制御する電流制御部とを備えたものである。
【発明の効果】
【００１１】
この発明によれば、上記のように構成したので、加入者側装置のユーザデータの送受信の有無及び下位ネットワーク側装置との接続状態に応じて、ＬＥＤの輝度を制御することで、ユーザが加入者側装置を使用していない間にはＬＥＤの輝度を下げるように制御することができ、効率よくＬＥＤの消費電力を抑制することができる。
【図面の簡単な説明】
【００１２】
【図１】この発明の実施の形態１に係る光ネットワークシステムの構成を示す図である。
【図２】この発明の実施の形態１における待機情報収集判定部の構成を示す図である。
【図３】この発明の実施の形態１における低消費電力化モードと通常モードの場合分けを示す図である。
【図４】この発明の実施の形態１における電流制御部の構成を示す図である。
【図５】この発明の実施の形態１に係るＯＮＵによる動作を示すフローチャートである。
【図６】この発明の実施の形態１に係るＯＮＵの動作を示すタイミングチャートである。
【図７】この発明の実施の形態２に係る光ネットワークシステムの構成を示す図である。
【図８】この発明の実施の形態２における電流制御部の構成を示す図である。
【図９】この発明の実施の形態２に係るＯＮＵの動作状態によるＬＥＤの制御を示す図である。
【発明を実施するための形態】
【００１３】
以下、この発明の実施の形態について図面を参照しながら詳細に説明する。
実施の形態１．
図１はこの発明に係る実施の形態１に係る光ネットワークシステムの構成を示す図であり、本発明をＧＥ−ＰＯＮ（Ｇｉｇａｂｉｔ  Ｅｔｈｅｒｎｅｔ−Ｐａｓｓｉｖｅ  Ｏｐｔｉｃａｌ  Ｎｅｔｗｏｒｋ）システムに適用した場合について示している。
図１に示すように、ＧＥ−ＰＯＮシステムは、上位ネットワーク１に接続されるＯＬＴ（局側装置）２と、ユーザ宅側の終端装置であり、ＯＬＴ２と通信を行う複数のＯＮＵ（加入者側装置）３と、ＯＬＴ２及び複数のＯＮＵ３とを接続する光スプリッタ４と、ＯＬＴ２と光スプリッタ４とを接続する媒体である基幹光ファイバケーブル５と、ＯＮＵ３と光スプリッタ４とを接続する媒体である支線光ファイバケーブル６と、ＯＮＵ３に接続される外部機器であるＴＥ（下位ネットワーク側装置）７と、ＯＮＵ３とＴＥ７とを接続する媒体であるＬＡＮ（Ｌｏｃａｌ  Ａｒｅａ  Ｎｅｔｗｏｒｋ）ケーブル８とにより構成されている。
なお、ＴＥ７は、ＨＧＷ（Ｈｏｍｅ  Ｇａｔｅ  Ｗａｙ）、ＶｏＩＰ-ＴＡ（Ｖｏｉｃｅ  ｏｖｅｒ  Ｉｎｔｅｒｎｅｔ  Ｐｒｏｔｏｃｏｌ−Ｔｅｌｅｐｈｏｎｅ  Ａｄａｐｔｅｒ）またはＰＣ（Ｐｅｒｓｏｎａｌ  Ｃｏｍｐｕｔｅｒ）等により構成される。
【００１４】
このＧＥ−ＰＯＮシステムは、ＧＥ−ＰＯＮシステムの規格であるＩＥＥＥ８０２．３ａｈに規定された手順に従い、上位ネットワーク１からのＥｔｈｅｒｎｅｔ信号をＯＬＴ２及びＯＮＵ３を介して各ＴＥ７に送信し、また、各ＴＥ７からのＥｔｈｅｒｎｅｔ信号をＯＮＵ３及びＯＬＴ２を介して上位ネットワーク１に送信する。
【００１５】
また、図１に示すように、ＯＮＵ３は、光送受信器９、ＰＯＮ制御部１０、ＰＨＹ１１、ＬＡＮコネクタ（接続状態検出部）１２、待機情報収集判定部１３、電流制御部１４及びＬＥＤ部１５から構成される。
【００１６】
光送受信器９は、ＯＬＴ２とＯＮＵ３との間での光信号の送受信を行うものである。この光送受信器９は、ＯＬＴ２から送信された光信号を電気信号に変換してＰＯＮ制御部１０に送信し、また、ＰＯＮ制御部１０から送信された電気信号を光信号に変換してＯＬＴ２に送信する。
【００１７】
ＰＯＮ制御部１０は、光送受信器９から送信された電気信号に対してＩＥＥＥ８０２．３ａｈに規定された処理を実行することにより得られる信号をＰＨＹ１１に送信し、また、ＰＨＹ１１から送信された電気信号に対してＩＥＥＥ８０２．３ａｈに規定された処理を実行することにより得られる信号を光送受信器９に送信することにより、ＯＬＴ２との論理リンクを確立するものである。
また、このＰＯＮ制御部１０は、ＯＬＴ２との論理リンクの確立状態に基づいて、ＬＥＤ部１５のＬＥＤを発光させるための発光信号を電流制御部１４に送信する。
さらに、ＰＯＮ制御部１０はクロック信号を待機情報収集判定部１３に送信する。
【００１８】
また、ＰＯＮ制御部１０は、ユーザデータの送受信の有無を検出するためのトラフィック監視部１０ａを備えている。このトラフィック監視部１０ａは、ＯＬＴ２との論理リンクの確立後にＰＯＮ制御部１０が光送受信器９もしくはＰＨＹ１１に信号を送信する際に、ユーザデータの送受信の有無を検出するものである。このトラフィック監視部１０ａにより検出されたユーザデータの送受信の有無を示すユーザデータ有無検出信号は待機情報収集判定部１３に送信される。
【００１９】
ＰＨＹ１１は、ＯＮＵ３の物理層として機能するものである。このＰＨＹ１１は、ＰＯＮ制御部１０から送信された信号をＥｔｈｅｒｎｅｔ信号に変換してＬＡＮコネクタ１２に送信し、また、ＬＡＮコネクタ１２から送信されたＥｔｈｅｒｎｅｔ信号をＰＯＮ制御部１０が処理できるインタフェースの信号に変換してＰＯＮ制御部１０に送信する。
【００２０】
ＬＡＮコネクタ１２は、ＬＡＮケーブル８を介してＯＮＵ３とＴＥ７とを接続するものである。このＬＡＮコネクタ１２は、ＰＨＹ１１から送信されたＥｔｈｅｒｎｅｔ信号をＴＥ７に送信し、また、ＴＥ７から送信されたＥｔｈｅｒｎｅｔ信号をＰＨＹ１１に送信する。また、このＬＡＮコネクタ１２は、ＲＪ（Ｒｅｇｉｓｔｅｒｅｄ  Ｊａｃｋ）−４５のポート形状に形成され、ＬＡＮケーブル８の物理的な接続を検出することで、ＯＮＵ３がＬＡＮケーブル８を介してＴＥ７と接続されたことを検出する機能を有している。このＬＡＮコネクタ１２により検出されたＬＡＮケーブル８が接続されているか否かを示すＬＡＮケーブル接続検出信号は待機情報収集判定部１３に送信される。
また、ＬＡＮコネクタ１２は、ＬＡＮケーブル８を介したＴＥ７との接続状態に基づいて、ＬＥＤ部１５のＬＥＤを発光させるための発光信号をＰＨＹ１１を介して電流制御部１４に送信する。
【００２１】
待機情報収集判定部１３は、トラフィック監視部１０ａから送信されたユーザデータ有無検出信号及びＬＡＮコネクタ１２から送信されたＬＡＮケーブル接続検出信号に基づいて、電流制御部１４の動作モードを決定するものである。この待機情報収集判定部１３の詳細については後述する。
【００２２】
電流制御部１４は、ＬＥＤ部１５に送信する発光信号の電流値を制御するものであり、段階的に電流値を低くする低消費電力化モードと一定の電流値で流し続ける通常モードの２つの動作モードを有している。電流制御部１４は、待機情報収集判定部１３により決定された動作モードに設定し、ＰＯＮ制御部１０またはＰＨＹ１１から送信された発光信号の電流値を制御する。この電流制御部１４により電流値が制御された発光信号はＬＥＤ部１５に送信される。この電流制御部１４の詳細については後述する。
【００２３】
ＬＥＤ部１５は、ＯＬＴ２及びＴＥ７との接続が確立されＥｔｈｅｒｎｅｔ通信が開始された後のＯＬＴ２との論理リンク状態及びＬＡＮケーブル８を介したＴＥ７との接続状態等をＬＥＤを発光することにより報知するものである。このＬＥＤ部１５は、電流制御部１４から送信された発光信号の電流値に応じた輝度でＬＥＤを発光する。
【００２４】
図２はこの発明の実施の形態１における待機情報収集判定部１３の構成を示す図である。また、図３はこの発明の実施の形態１における低消費電力化モードと通常モードの場合分けを示す図である。
図２に示すように、待機情報収集判定部１３は、論理積部１６、カウンタ部１７、第１〜ｎ閾値出力部１８、第１〜ｎ比較部１９、第１〜ｎラッチ部２０及び立ち上がり検出部２１から構成される。
【００２５】
論理積部１６は、ＰＯＮ制御部１０から送信されたユーザデータ有無検出信号と、ＬＡＮコネクタ１２から送信されたＬＡＮケーブル接続検出信号との論理積を算出するものである。
ここで、ユーザデータの送受信がある場合のユーザデータ有無検出信号をＨｉｇｈとし、ＬＡＮケーブル８がＬＡＮコネクタ１２に接続されている場合のＬＡＮケーブル接続検出信号をＨｉｇｈとすると、論理積部１６から出力される信号はＨｉｇｈとなる。また、ユーザデータ有無検出信号がＬｏｗ（ユーザデータの送受信なし）及び／またはＬＡＮケーブル接続検出信号がＬｏｗ（ＬＡＮケーブル８が未接続）の場合では、論理積部１６から出力される信号はＬｏｗとなる。
このように論理積部１６によってユーザデータ有無検出信号及びＬＡＮケーブル接続検出信号の論理積を算出することにより、図３に示すように、ユーザデータの送受信の有無状態及びＬＡＮケーブル８の接続状態に応じた低消費電力化モードと通常モードの場合分けを行うことができる。
この論理積部１６により算出された信号はカウンタ部１７に送信される。
【００２６】
カウンタ部１７は、論理積部１６から送信された信号に基づいて、ＰＯＮ制御部１０から送信されたクロック信号をカウントするものである。このカウンタ部１７は、論理積部１６から受信した信号がＬｏｗの場合にクロック信号をカウントし、信号がＨｉｇｈの場合にはクロック信号をカウントしない。このカウンタ部１７によりカウントされたカウント数を示す信号は第１〜ｎ比較部１９に送信される。
【００２７】
第１〜ｎ比較部１９は、カウンタ部１７によりカウントされたカウント数と、それぞれの比較部１９に対応して設けられる閾値出力部１８から送信された閾値とを比較するものである。この第１〜ｎ比較部１９は、カウント数と閾値が一致する場合には一定時間Ｈｉｇｈの信号を、対応して設けられるラッチ部２０に送信する。
なお、第１〜ｎ比較部１９に対応して設けられる第１〜ｎ閾値出力部１８は、それぞれ異なる閾値を有している。
【００２８】
第１〜ｎラッチ部２０は、対応する比較部１９から送信された信号に基づいて、この信号がＨｉｇｈである場合には、Ｈｉｇｈの信号を出力するものである。この第１〜ｎラッチ部２０により出力された信号は電流制御部１４に送信される。
【００２９】
立ち上がり検出部２１は、論理積部１６から送信された信号に基づいて、カウンタ部１７、第１〜ｎ比較部１９及び第１〜ｎラッチ部２０をリセットさせるものである。この立ち上がり検出部２１は、論理積部１６から送信された信号がＨｉｇｈである場合には、カウンタ部１７、第１〜ｎ比較部１９及び第１〜ｎラッチ部２０をリセットさせるためのリセット信号をカウンタ部１７、第１〜ｎ比較部１９及び第１〜ｎラッチ部２０に送信する。
【００３０】
図４はこの発明の実施の形態１における電流制御部１４の構成を示す図である。
図４に示すように、電流制御部１４は、切り替え接続可能な第１〜ｎ経路を有する第１，２セレクタ部２２により構成される。
この第１，２セレクタ部２２は、第１〜ｎラッチ部２０から送信された信号の組み合わせに基づいて、第１〜ｎ経路の中の１つの経路と接続して、ＰＯＮ制御部１０またはＰＨＹ１１から送信された発光信号をＬＥＤ部１５に送信するものである。なお、第１，２セレクタ部２２が切り替え接続を行う第１〜ｎ経路には、それぞれ異なる抵抗値を有する抵抗Ｒ１、Ｒ２、Ｒ３・・・、Ｒｎが接続され、これによりＬＥＤ部１５に送信する発光信号の電流値を制御する。
【００３１】
次に、上記のように構成されたＯＮＵ３の動作について説明する。
図５はこの実施の形態１のＯＮＵ３の動作を示すフローチャートであり、以下、このフローチャートに従って説明する。
図５に示すように、ＯＮＵ３によるＬＥＤ輝度制御処理では、まず、ＯＮＵ３を起動する（ステップＳＴ１）。すなわち、ユーザによる不図示の電源の投入に従い、ＯＮＵ３を起動する。
【００３２】
次いで、ＰＯＮ制御部１０のトラフィック監視部１０ａはユーザデータの送受信があるかを判断する（ステップＳＴ２）。すなわち、トラフィック監視部１０ａは、ＰＯＮ制御部１０から光送受信器９またはＰＨＹ１１に信号が送信される際に、ユーザデータの送受信があるか否かを判断する。
【００３３】
このステップＳＴ２において、トラフィック監視部１０ａは、ユーザデータがないと判断した場合には（ステップＳＴ２“ＮＯ”）、次いで、ユーザデータの送受信がないことを通知する（ステップＳＴ３）。すなわち、トラフィック監視部１０ａは、ユーザデータの送受信がないことを示すユーザデータ有無検出信号を待機情報収集判定部１３に送信する。
【００３４】
次いで、待機情報収集判定部１３は低消費電力化モードに設定させる（ステップＳＴ４）。すわなち、待機情報収集判定部１３は、電流制御部１４の動作モードを低消費電力化モードに設定させることを決定し、電流制御部１４は、動作モードを低消費電力化モードに設定する。
【００３５】
一方、ステップＳＴ２において、トラフィック監視部１０ａがユーザデータの送受信があると判断した場合には（ステップＳＴ２“ＹＥＳ”）、次いで、ＬＡＮコネクタ１２はＬＡＮケーブル８が接続されているかを判断する（ステップＳＴ５）。すなわち、ＬＡＮコネクタ１２は、ＬＡＮケーブル８がＬＡＮコネクタ１２に接続されているか否かを判断する。
【００３６】
このステップＳＴ５において、ＬＡＮコネクタ１２は、ＲＡＮケーブル８がＬＡＮコネクタ１２に接続されていないと判断した場合には（ステップＳＴ５“ＮＯ”）、次いで、ＬＡＮケーブル８が未接続であることを通知する（ステップＳＴ６）。すなわち、ＬＡＮコネクタ１２は、ＬＡＮケーブル８が未接続であることを示すＬＡＮケーブル接続検出信号を待機情報収集判定部１３に送信する。
【００３７】
次いで、待機情報収集判定部１３は低消費電力化モードに設定させる（ステップＳＴ７）。すわなち、待機情報収集判定部１３は、電流制御部１４の動作モードを低消費電力化モードに設定させることを決定し、電流制御部１４は、動作モードを低消費電力化モードに設定する。
【００３８】
一方、ステップＳＴ５において、ＬＡＮコネクタ１２は、ＬＡＮケーブル８がＬＡＮコネクタ１２に接続されていると判断した場合には（ステップＳＴ５“ＹＥＳ”）、次いで、ＬＡＮケーブル８が接続されていることを通知する（ステップＳＴ８）。すなわち、ＬＡＮコネクタ１２は、ＬＡＮケーブル８が接続されていることを示すＬＡＮケーブル接続検出信号を待機情報収集判定部１３に送信する。
【００３９】
次いで、待機情報収集判定部１３は通常モードに設定させる（ステップＳＴ９）。すわなち、待機情報収集判定部１３は、電流制御部１４の動作モードを通常モードに設定させることを決定し、電流制御部１４は、動作モードを通常モードに設定する。
【００４０】
次いで、電流制御部１４は発光信号を制御する（ステップＳＴ１０）。すなわち、電流制御部１４は、ＰＯＮ制御部１０またはＰＨＹ１１から送信された発光信号の電流値を制御する。ここで、電流制御部１４は、動作モードを低消費電力化モードに設定した場合には、発光信号の電流値を段階的に低くするように制御を行い、動作モードを通常モードに設定した場合には、発光信号の電流値を一定のまま流すように制御を行う。この電流制御部１４により電流値が制御された発光信号はＬＥＤ部１５に送信される。
【００４１】
次いで、ＬＥＤ部１５はＬＥＤを発光する（ステップＳＴ１１）。すなわち、ＬＥＤ部１５は、電流制御部１４から送信された発光信号の電流値に応じた輝度でＬＥＤを発光する。
その後、シーケンスはステップＳＴ２の処理に戻り、上述した処理を繰り返す。
【００４２】
図６はこの発明の実施の形態１に係るＯＮＵ３の動作を示すタイミングチャートであり、図６（ａ）はトラフィック監視部１０ａから送信されるユーザデータ有無検出信号、図６（ｂ）はＬＡＮコネクタ１２から送信されるＬＡＮケーブル接続検出信号、図６（ｃ）はＬＥＤ部１５に流れる電流を示している。
図６に示すように、ユーザデータ有無検出信号がＨｉｇｈ（ユーザデータの送受信あり）かつＬＡＮケーブル接続検出信号がＨｉｇｈ（ＬＡＮケーブル８が接続）の場合には、電流制御部１４は動作モードを通常モードに設定して一定の電流値Ａ１をＬＥＤ部１５に流し続ける。しかしながら、ユーザデータ有無検出信号がＬｏｗ（ユーザデータの送受信なし）及び／またはＬＡＮケーブル接続検出信号がＬｏｗ（ＬＡＮケーブル８が未接続）の場合には、電流制御部１４は動作モードを低消費電力化モードに設定して電流を段階的に下げて（電流値Ａ２，Ａ３，Ａ４，・・・）に下げてＬＥＤ部１５に流す。
なお、図６（ｃ）に示す、時間ｔ１〜ｔ４は第１〜ｎ閾値出力部１８の閾値に依存し、また、電流値Ａ1〜Ａ４は電流が流れる経路に接続される抵抗の抵抗値に依存する。
【００４３】
以上のように、この発明の実施の形態１によれば、ＯＮＵ３のユーザデータの送受信の有無及びＬＡＮケーブル８を介したＴＥ７の接続状態に応じて、ＬＥＤの輝度を制御するように構成したので、ユーザがＯＮＵ３を使用している間はＬＥＤを一定の輝度で発光させ、ＯＮＵ３を使用していない間はＬＥＤの輝度を段階的に下げるように制御することで、例えば、ユーザがＯＮＵ３を使用せず就寝する場合にＬＥＤの輝度を落とすことが可能となり、夜間にＬＥＤがまぶしいといった問題を軽減するができ、また、効率よくＬＥＤの消費電力を抑制することができる。
【００４４】
また、動作モードを低消費電力モードに移行した際にＬＥＤを急に消灯した場合、低消費電力化モードに移行したことをユーザが認識できず、ＬＥＤが故障したと誤解される恐れがあるが、この発明の実施の形態１に係るＯＮＵ３では、動作モードを低消費電力化モードに移行した際にＬＥＤの輝度を段階的に下げるように構成したので、低消費電力化モードに移行したことをユーザに認識させることができ、ＬＥＤが故障したと誤解されることを防ぐことができる。
【００４５】
なお、この発明の実施の形態１に係るＯＮＵ３では、トラフィック監視部１０ａから送信されたユーザデータ有無検出信号及びＬＡＮコネクタ１２から送信されたＬＡＮケーブル接続検出信号に基づいてＬＥＤの輝度を制御するように構成したが、トラフィック監視部１０ａから送信されたユーザデータ有無検出信号のみに基づいてＬＥＤの輝度を制御するように構成してもよく、また、ＬＡＮコネクタ１２から送信されたＬＡＮケーブル接続検出信号のみに基づいてＬＥＤの輝度を制御するように構成しても良い。
【００４６】
実施の形態２．
図７はこの発明に係る実施の形態１に係る光ネットワークシステムの構成を示す図であり、本発明をＧＥ−ＰＯＮシステムに適用した場合について示している。また、図８はこの発明の実施の形態２における電流制御部１４の構成を示す図である。
図７に示す実施の形態２におけるＯＮＵ３の構成は、図１に示す実施の形態１におけるＯＮＵ３の構成に、外部インタフェース部２３を追加したものであり、その他の構成は同様であり、同一の符号を付して、その説明を省略する。
【００４７】
図７，８に示すように、外部インタフェース部２３は、電流制御部１４に接続され、外部から物理的に操作されることによりＯＮＵ３の動作状態を変更するものである。例えば、外部インタフェース部２３は、ＯＮＵ３の外部に不図示のボタンを有し、ユーザによりボタンが押下されることにより、ＯＮＵ３の動作状態を変更するように構成されている。この外部インタフェース部２３によるＯＮＵ３の動作状態を変更する状態信号は、電流制御部１４の第１，２セレクタ部２２に送信される。
【００４８】
図９はこの発明の実施の形態２に係るＯＮＵ３の動作状態によるＬＥＤの制御を示す図である。
外部インタフェース２３は、ユーザによりボタンが押下されることにより、図９に示すように、ＯＮＵ３の動作状態を状態Ａ、状態Ｂ及び状態Ｃの３状態に変更するように構成されている。なお、ＯＮＵ３が起動した際には、ＯＮＵ３は状態Ａに設定されるものとする。
【００４９】
ここで、外部インタフェース部２３は、ユーザによりボタンが押下された場合には、ＯＮＵ３の動作状態を状態Ａから状態Ｂに変更し、ＬＥＤ部１５に電流を流さない（ＬＥＤを消灯する）ことを示す状態信号を第１，２セレクタ部２２に送信する。この状態信号を受信した第１，２セレクタ部２２は、ＰＯＮ制御部１０またはＰＨＹ１１から発光信号が送信された場合にもＬＥＤ部１５に電流を流さないように動作する。
【００５０】
また、外部インタフェース部２３は、ユーザによりボタンがもう１度押下された場合には、ＯＮＵ３の動作状態を状態Ｂから状態Ｃに変更し、通常モードで動作することを示す状態信号を第１，２セレクタ部２２に送信する。この状態信号を受信した第１，２セレクタ部２２は、ユーザデータ有無検出信号及びＬＡＮケーブル接続検出信号の状態に関わらず、通常モードに設定して動作する。
【００５１】
また、外部インタフェース部２３は、ユーザによりボタンがさらにもう１度押下された場合には、ＯＮＵ３の動作状態を状態Ｃから状態Ａに変更し、ユーザデータ有無検出信号がＨｉｇｈかつＬＡＮケーブル接続検出信号がＨｉｇｈの場合には通常モードに設定し、それ以外の条件の場合には低消費電力化モードに設定することを示す状態信号を第１，２セレクタ部２２に送信する。この状態信号を受信した第１，２セレクタ部２２は、上述した実施の形態１の動作と同様の動作を行う。
【００５２】
なお、外部インタフェース部２３は、ユーザによりボタンがさらにもう１度押下された場合には、ＯＮＵ３の動作状態を状態Ｃから状態Ａに変更し、以後、ユーザによるボタンの押下の度にＯＮＵ３の動作状態を変更する。
【００５３】
以上のように、この発明の実施の形態２によれば、ユーザによる操作に従い、ＯＮＵ３の動作状態を変更する外部インタフェース部２３を設けるように構成したので、実施の形態１における効果に加えて、例えば、ユーザデータの送受信が行われている場合でも、ＬＥＤの輝度を下げるようにＯＮＵ３の動作状態を変更することができ、ユーザの意図したＬＥＤの輝度に変更することができる。
【符号の説明】
【００５４】
１  上位ネットワーク、２  ＯＬＴ（局側装置）、３  ＯＮＵ（加入者側装置）、４  光スプリッタ、５  基幹光ファイバケーブル、６  支線光ファイバケーブル、７  ＴＥ（下位ネットワーク側装置）、８  ＬＡＮケーブル、９  光送受信器、１０  ＰＯＮ制御部、１０ａ  トラフィック監視部、１１  ＰＨＹ、１２  ＬＡＮコネクタ（接続状態検出部）、１３  待機情報収集判定部、１４  電流制御部、１５  ＬＥＤ部、１６  論理積部、１７  カウンタ部、１８  第１〜ｎ閾値出力部、１９  第１〜ｎ比較部、２０  第１〜ｎラッチ部、２１  立ち上がり検出部、２２  第１，２セレクタ部、２３  外部インタフェース部。
【図１】
2011066784.tif 000003
【図２】
2011066784.tif 000004
【図３】
2011066784.tif 000005
【図４】
2011066784.tif 000006
【図５】
2011066784.tif 000007
【図６】
2011066784.tif 000008
【図７】
2011066784.tif 000009
【図８】
2011066784.tif 000010
【図９】
2011066784.tif 000011